(57)【要約】【課題】入浴後に着る着替え用の衣類を主寝室から脱衣所に持っていくことがなく、また寝室で着替えずにすむ建物を提供する。【解決手段】脱衣所８０と、寝室１００との間にクローゼット９０が設けられ、このクローゼット９０には、脱衣所８０側と、寝室１００側との２箇所に出入口９１、９２が設けられているので、クローゼット９０から脱衣所８０側の出入口９１を通って脱衣所８０へ着替え用の衣類を持っていくことができ、寝室１００から脱衣所８０に着替え用の衣類を持っていかずにすむ。また、脱衣所８０に着替え用の衣類を持っていかない場合には、入浴後にバスローブやタオルなどを身に付けて脱衣所８０側の出入口からクローゼット９０に入り、そこで着替えてから、寝室１００側の出入口を通って寝室１００に入ることができるため、寝室１００で着替えずにすみ、寝室１００にいる配偶者に配慮することができる。【選択図】図２
2005336869.tif 000002
【特許請求の範囲】
【請求項１】
脱衣所と、寝室との間にクローゼットが設けられ、このクローゼットには、前記脱衣所側と、前記寝室側との２箇所に出入口が設けられていることを特徴とする建物。
【請求項２】
前記クローゼットの内部には化粧台が設けられていることを特徴とする請求項１に記載の建物。
【請求項３】
前記脱衣所と、前記寝室とに通じるホールが前記クローゼットに隣接して設けられていることを特徴とする請求項１または２に記載の建物。
【請求項４】
前記ホールに隣接してインナーバルコニーが設けられていることを特徴とする請求項３に記載の建物。
【請求項５】
前記ホールに隣接して収納所が設けられていることを特徴とする請求項２〜４のいずれか一項に記載の建物。
【発明の詳細な説明】
【技術分野】
【０００１】
本発明は、住宅等の建物に関する。
【背景技術】
【０００２】
住宅等の建物の一例として、特許文献１に記載のものが知られている。特許文献１に記載の建物では、浴室や洗面所、トイレ等のサニタリースペースと、主寝室とが隣接して設けられており、浴室やトイレと主寝室との行き来を容易にしている。
【特許文献１】特開平１１−３６６３０号公報
【発明の開示】
【発明が解決しようとする課題】
【０００３】
上述の建物では、衣類を収納するクローゼットが主寝室に設けられている。このため、入浴後に主寝室へ入る場合には、着替え用の衣類を脱衣所へ持っていき、入浴後に脱衣所で着替えるか、あるいはバスローブやタオルなどを身に着けて主寝室へ入り、主寝室で着替えるかのいずれかを選択する必要がある。
【０００４】
しかし、主寝室のクローゼットから着替え用の衣類を出して脱衣所へ持っていく場合には、例えば主寝室で配偶者が寝ている時には、起こさないように配慮をしなくてはならない。また、バスローブやタオルなどを身に着けて主寝室へ入り、主寝室で着替える場合にも、主寝室にいる配偶者に配慮しなくてはならない。
【０００５】
本発明の課題は、入浴後に着る着替え用の衣類を主寝室から脱衣所に持っていくことがなく、また寝室で着替えずにすむ建物を提供することである。
【課題を解決するための手段】
【０００６】
以上の課題を解決するため、請求項１に記載の発明は、建物であって、図２に示すように、脱衣所（サニタリースペース８０）と、寝室（主寝室１００）との間にクローゼット（ウォークスルークローゼット９０）が設けられ、このクローゼット（ウォークスルークローゼット９０）には、前記脱衣所（サニタリースペース８０）側と、前記寝室（主寝室１００）側との２箇所に出入口９１、９２が設けられていることを特徴とする。
【０００７】
請求項１に記載の建物によれば、脱衣所（サニタリースペース８０）と、寝室（主寝室１００）との間にクローゼット（ウォークスルークローゼット９０）が設けられ、このクローゼット（ウォークスルークローゼット９０）には、脱衣所（サニタリースペース８０）側と、寝室（主寝室１００）側との２箇所に出入口９１、９２が設けられているので、クローゼット（ウォークスルークローゼット９０）から脱衣所（サニタリースペース８０）側の出入口９１を通って脱衣所（サニタリースペース８０）へ着替え用の衣類を持っていくことができ、寝室（主寝室１００）から脱衣所（サニタリースペース８０）に着替え用の衣類を持っていかずにすむ。
【０００８】
また、脱衣所（サニタリースペース８０）に着替え用の衣類を持っていかない場合には、入浴後にバスローブやタオルなどを身に付けて脱衣所（サニタリースペース８０）側の出入口９１からクローゼット（ウォークスルークローゼット９０）に入り、そこで着替えてから、寝室（主寝室１００）側の出入口９２を通って寝室（主寝室１００）に入ることができるため、寝室（主寝室１００）で着替えずにすみ、寝室（主寝室１００）にいる配偶者に配慮することができる。
【０００９】
請求項２に記載の発明は、請求項１に記載の建物であって、前記クローゼット（ウォークスルークローゼット９０）の内部には化粧台が設けられていることを特徴とする。
【００１０】
請求項２に記載の発明によれば、クローゼット（ウォークスルークローゼット９０）の内部に化粧台が設けられているので、入浴後にクローゼット（ウォークスルークローゼット９０）に入り、クローゼット（ウォークスルークローゼット９０）内で保湿液の塗布や化粧等を行ってから寝室（主寝室１００）に入ることができる。また、例えば夫婦で起床時間が異なるような場合でも、寝室（主寝室１００）の配偶者を起こさずにクローゼット（ウォークスルークローゼット９０）内で化粧や着替えを行うことができる。
【００１１】
請求項３に記載の発明は、請求項１または２に記載の建物において、前記脱衣所（サニタリースペース８０）と、前記寝室（主寝室１００）とに通じるホール（２階ホール６０）が前記クローゼット（ウォークスルークローゼット９０）に隣接して設けられていることを特徴とする。
【００１２】
請求項３に記載の発明によれば、脱衣所（サニタリースペース８０）と、寝室（主寝室１００）とに通じるホール（２階ホール６０）がクローゼット（ウォークスルークローゼット９０）に隣接して設けられているので、クローゼット（ウォークスルークローゼット９０）を誰かが使用しているときにも、クローゼット（ウォークスルークローゼット９０）を通らずにホール（２階ホール６０）を通って脱衣所（サニタリースペース８０）と、寝室（主寝室１００）との間を行き来することができる。また、他の部屋からもホール（２階ホール６０）を通って脱衣所（サニタリースペース８０）や寝室（主寝室１００）へ行き来することができる。
【００１３】
請求項４に記載の発明は、請求項３に記載の建物であって、前記ホール（２階ホール６０）に隣接してインナーバルコニー７０が設けられていることを特徴とする。
【００１４】
請求項４に記載の発明によれば、前記ホール（２階ホール６０）に隣接してインナーバルコニー７０が設けられているので、脱衣所で洗濯した衣類をインナーバルコニー７０で干し、乾いた衣類をホール（２階ホール６０）を通ってクローゼット（ウォークスルークローゼット９０）に収納する際の動線を短縮することができる。
【００１５】
請求項５に記載の発明は、請求項２〜４のいずれか一項に記載の建物であって、前記ホール（２階ホール６０）に隣接して収納所１１０が設けられていることを特徴とする。
【００１６】
ここで、収納所は、例えば、脱衣所と寝室との間に設けられたクローゼット以外の収納所であり、ホールに隣接する一室を専用のクローゼットとしたものであってもよい。あるいは、図２に示すように、ホール（２階ホール６０）が設けられた階の床と、当該床よりも高く、かつ同階の天井よりも低くスキップフロアを配置し、スキップフロアと床との間に収納所１１０を設けてもよい。
【００１７】
請求項５に記載の発明によれば、ホール（２階ホール６０）に隣接して収納所１１０が設けられているので、季節の変わり目に夏物や冬物の衣類をクローゼット（ウォークスルークローゼット９０）と収納所１１０との間でホール（２階ホール６０）を通って容易に出し入れすることができる。
【発明の効果】
【００１８】
本発明によれば、脱衣所と、寝室との間にクローゼットが設けられ、このクローゼットには、脱衣所側と、寝室側との２箇所に出入口が設けられているので、クローゼットから脱衣所側の出入口を通って脱衣所へ着替え用の衣類を持っていくことができ、寝室から脱衣所に着替え用の衣類を持っていかずにすむ。
【００１９】
また、脱衣所に着替え用の衣類を持っていかない場合には、入浴後にバスローブやタオルなどを身に付けて脱衣所側の出入口からクローゼットに入り、そこで着替えてから、寝室側の出入口を通って寝室に入ることができるため、寝室で着替えずにすみ、寝室にいる配偶者に配慮することができる。
【００２０】
さらに、クローゼットの内部に化粧台が設けられているので、入浴後にクローゼットに入り、クローゼット内で保湿液の塗布や化粧等を行ってから寝室に入ることができる。また、例えば夫婦で起床時間が異なるような場合でも、配偶者を起こさずにクローゼット内で化粧や着替えを行うことができる。
【００２１】
また、クローゼットに隣接して脱衣所と、寝室とに通じるホールが設けられているので、クローゼットを通らずにホールを通って脱衣所と、寝室との間を行き来することができる。また、他の部屋からもホールを通って脱衣所や寝室へ行き来することができる。
【００２２】
また、前記ホールに隣接してインナーバルコニーが設けられているので、脱衣所で洗濯した衣類をインナーバルコニーで干し、乾いた衣類をホールを通ってクローゼットに収納する際の動線を短縮することができる。
【００２３】
さらに、ホールに隣接して衣類を収納する他の収納所が設けられているので、季節の変わり目に夏物や冬物の衣類をクローゼットと他の収納所との間でホールを通って容易に出し入れすることができる。
【発明を実施するための最良の形態】
【００２４】
以下、本発明の実施の形態について詳細に説明する。図１は本発明の建物を示す１階の間取り図であり、図２は２階の間取り図である。また、この建物の北側部分には、２階よりも高い床レベルのスキップフロアが設けられている。図３はそのスキップフロアを示す間取り図である。
【００２５】
図１において、建物の東側に玄関１０が設けられている。玄関１０は、玄関ポーチ１１と、玄関ポーチ１１から連続する土間床１２と、玄関ポーチ１１と土間床１２との間を仕切る玄関扉１３とからなる。玄関扉１３の両側部には、屋外から光を入射させる採光窓１４が設けられており、建物の中央に設けられた玄関ホール２０の採光を良好にしている。
【００２６】
また、玄関１０の北側には、クローゼット１６が設けられている。クローゼット１６の南半分には、玄関１０から土間床１２が続いており、クローゼット１６の北側の床１６ａは、１階の他の部屋と同じ床高さに形成されている。土間床１２と北側の床１６ａとの境界に上がり框１６ｂが設けられている。
クローゼット１６の北側には、洗面所１７及び納戸１８が設けられている。納戸１８の北側の壁には、窓１８ａが設けられている。また、クローゼット１６の西側には、洗面所及び納戸と、玄関ホール２０とを繋ぐ廊下１９が設けられている。
【００２７】
玄関１０の西側には、玄関ホール２０が設けられている。玄関１０の土間床１２と玄関ホール２０との間には、上がり框１５が設けられている。玄関ホール２０の床は、１階の他の部屋と同じ床高さに形成されている。
【００２８】
玄関ホール２０の北側には、階段室３０が設けられている。階段室３０に設けられた階段は、２階ホール６０へ通じている。また、階段の１階と２階との間の踊り場３１には、玄関ホール２０と階段室３０との間の出入口２１と対向して窓３２が設けられている。このため、窓３２から入射した光を玄関ホール２０まで届かせることができ、玄関ホール２０の採光を良好にすることができる。
階段下の空間は収納スペース２０ａとなっている。収納スペース２０ａの扉は玄関ホール２０に設けられており、玄関ホール２０から荷物を出し入れすることができる。
【００２９】
玄関ホール２０の南側には、キッチン４０が設けられている。キッチン４０の東側には、納戸４１及び勝手口４１ａが設けられている。また、キッチン４０の南側には、玄関ホール２０とキッチン４０との間の出入口２２と対向する位置に、屋外へ通じる開口部４２が設けられている。このため、開口部４２から入射した光を玄関ホール２０まで届かせることができ、玄関ホール２０の採光を良好にすることができる。
【００３０】
玄関ホール２０の西側には、大空間のリビング・ダイニング５０が設けられている。リビング・ダイニング５０の西側には、玄関ホール２０とリビング・ダイニング５０との間の出入口２３と対向する位置に、屋外へ通じる窓５１が設けられている。このため、窓５１から入射した光を玄関ホール２０まで届かせることができ、玄関ホール２０の採光を良好にすることができる。このように、玄関ホール２０に４方向から光を差し込ませるため、非常に明るい玄関ホールにすることができる。
【００３１】
また、玄関ホール２０とリビング・ダイニング５０との間の出入口２３には、可動式の布製吊り戸２４が設けられている。この布製吊り戸２４は、玄関ホール２０と、リビング・ダイニング５０とを仕切ったり、あるいは、玄関ホール２０とリビング・ダイニング５０とを一体の空間にしたりすることができる。このため、例えば普段は玄関ホール２０とリビング・ダイニング５０とを一体にして大空間の部屋を形成することができるとともに、来客時には玄関ホール２０とリビング・ダイニング５０とを仕切り、リビング・ダイニング５０を隠すことができ、プライバシーを保護することができる。
【００３２】
この布製吊り戸２４は、天井から吊られているため、出入口２３部分の床には吊り戸を動かすためのレール等を設ける必要がなく、平坦に仕上げることができる。また、この布製吊り戸２４は、布の目地から光を透過させるため、玄関ホール２０と、リビング・ダイニング５０とを仕切った場合でも、窓から入射した光を玄関ホール２０まで届かせることができる。
【００３３】
リビング・ダイニング５０の北側部分は、図２に示すように、約１．５階分の天井高さを有する吹き抜け５２になっている。吹き抜け５２の南側部分には、２階の畳スペース１０１へ通じる換気ガラリ５２ａが設けられている。また、吹き抜け５２の上部はスキップフロアになっており、図３に示すように、バルコニー１３０が設けられている。
また、リビング・ダイニング５０の北側部分の西側の壁には、屋外へ通じる開口部５４が設けられている。
【００３４】
リビング・ダイニング５０の南側部分は、キッチン４０と一体化している。リビング・ダイニング５０の南側部分の西側の壁に沿って、壁面収納５３が設けられている。リビング・ダイニング５０の南側には、屋外へ通じる開口部５５が設けられている。
【００３５】
リビング・ダイニング５０及びキッチン４０の南側には、デッキスペース４３が設けられている。デッキスペース４３の高さは、リビング・ダイニング５０及びキッチン４０の床高さに等しく、屋内外の空間を一体に見せることができる。
【００３６】
玄関ホール２０の真上には、２階ホール６０が設けられている。２階ホール６０の東側には、玄関１０の上部に相当する位置にインナーバルコニー７０が設けられている。このインナーバルコニー７０は、洗濯物干し場としても機能する。玄関ホール２０とインナーバルコニー７０とはガラス窓７１で仕切られており、インナーバルコニー７０の東側には、屋外に通じる開口部７２が設けられている。このため、開口部７２からインナーバルコニー７０に入射した光を２階ホール６０まで届かせることができ、２階ホール６０の採光を良好にすることができる。
【００３７】
インナーバルコニー７０の南側には、浴室８１が設けられている。浴室８１とインナーバルコニー７０との間には、窓８２が設けられている。この窓８２を通して浴室８１からインナーバルコニー７０を眺めることができるが、インナーバルコニー７０が建物の東側の外壁から入り込んだ位置に設けられているため、屋外から浴室８１を見ることはできない。したがって、プライバシーを守りながら、浴室８１からインナーバルコニー７０を眺めることができ、浴室８１を広く感じさせることができる。
【００３８】
浴室８１の出入口は、南側に設けられている。浴室８１の南側には、トイレ８３や洗面所８４などが一体となったサニタリースペース８０が設けられている。このサニタリースペース８０は、入浴時の脱衣所としても機能する。
【００３９】
サニタリースペース８０の南側の壁は、鏡張りになっている。サニタリースペース８０と２階ホール６０との間は、廊下８５で結ばれている。この廊下８５は南北方向に一直線に設けられているため、２階ホール６０からサニタリースペース８０の鏡を見ることができるため、見る人に実際よりも奥行きがある印象を与えることができる。
廊下８５と浴室８１との間には、収納スペース８６が設けられている。
【００４０】
２階ホール６０の南側には、ウォークスルークローゼット９０が設けられている。また、ウォークスルークローゼット９０の西側には、主寝室１００が設けられている。ウォークスルークローゼット９０には、廊下８５側の出入口９１と、主寝室１００側の出入口９２とが設けられている。このため、ウォークスルークローゼット９０からサニタリースペース８０へ短い動線で着替えを持ち出すことができる。
【００４１】
また、サニタリースペース８０で洗濯した洗濯物をインナーバルコニー７０で干し、乾いた衣類をウォークスルークローゼット９０へ収納することも、短い動線で行うことができる。
【００４２】
２階ホール６０と主寝室１００との間には、出入口６１が設けられている。このため、ウォークスルークローゼット９０を通らずに、２階ホール６０を通って主寝室１００とサニタリースペース８０との間を行き来することができる。もちろん、建物の他の部屋からも、２階ホール６０を通って主寝室１００やサニタリースペース８０へ出入りすることができる。
【００４３】
なお、ウォークスルークローゼット９０内に化粧台を設けてもよい。ウォークスルークローゼット９０内に化粧台を設けることで、入浴後にウォークスルークローゼット９０に入り、ウォークスルークローゼット９０内で保湿液の塗布や化粧等を行ってから主寝室１００に入ることができる。また、例えば夫婦で起床時間が異なるような場合でも、配偶者を起こさずにウォークスルークローゼット９０内で化粧や着替えを行うことができる。
【００４４】
２階ホール６０の西側には、畳スペース１０１が設けられている。畳スペース１０１と２階ホール６０との間には仕切りがなく、また畳スペース１０１の西側には窓１０２が設けられている。このため、窓１０２から入射した光を２階ホール６０まで届かせることができ、２階ホール６０の採光を良好にすることができる。
【００４５】
２階の北東には、２階の床と、スキップフロアとの間に形成された収納所１１０が設けられている。収納所１１０は約０．５階分の天井高さであり、大人が立って歩くには困難であるが、２階の他の部屋と床高さが等しいため、専用のワゴン等を用いて容易に荷物を出し入れすることができる。このため、季節の変わり目に夏物や冬物の衣類をウォークスルークローゼット９０と収納所１１０との間で容易に出し入れすることができる。
収納所１１０の上部には、図３に示すように、居室１４０が設けられている。
【００４６】
２階ホール６０の北側には、スキップフロアへ上がる階段が設けられている。階段を上がった踊り場１２０の東側には居室１４０が、西側にはバルコニー１３０が設けられている。また、踊り場１２０には窓１２１が設けられている。このため、窓１２１から入射した光を２階ホール６０まで届かせることができ、２階ホール６０の採光を良好にすることができる。
【００４７】
なお、以上の実施の形態においては、２階の床と天井との間にスキップフロアを設け、２階の床とスキップフロアとの間に収納所１１０を設けたが、本発明はこれに限らず、他のクローゼットを設けてもよい。またその他の間取りや方角についても適宜変更可能であることはもちろんである。
【図面の簡単な説明】
【００４８】
【図１】本発明の建物を示す１階の間取り図である。
【図２】本発明の建物を示す２階の間取り図である。
【図３】本発明の建物を示す２階上部のスキップフロアの間取り図である。
【符号の説明】
【００４９】
６０   ２階ホール
７０   インナーバルコニー
８０   サニタリースペース
９０   ウォークスルークローゼット
９１、９２    出入口
１００ 主寝室
１１０ 収納所
【図１】
2005336869.tif 000003
【図２】
2005336869.tif 000004
【図３】
2005336869.tif 000005